(57)【要約】 【課題】  レバー操作によって着脱操作が可能なバッテリターミナルを提供する。【解決手段】  本実施形態におけるバッテリターミナル１は、バッテリポスト２の外周面の一部に沿って接触可能な固定部１０と、バッテリポスト２の外周面において固定部１０と対向する位置に接触可能でかつ変位可能に設けられた可動部２０と、バッテリポスト２を跨ぐようにして回動可能なレバー３０と、固定部１０の下端において外方に向けて延出された接続部４０とからなる。レバー３０を回動させると、可動部２０に設けられたカムピン２２が、レバー３０に設けられたカム溝３４に係合しながら移動することで、可動部２０がバッテリポスト２に引き寄せられる。こうしてバッテリポスト２を固定部１０と可動部２０とで締め付けた後、可動部２０に設けられたロック受け部２３が、レバー３０に設けられたロックアーム３６に係止することで、レバー３０の戻り動作が規制される。【選択図】  図１
2006324188.tif 000002
【特許請求の範囲】
【請求項１】
バッテリポストの外周面の一部に沿う固定部と、前記バッテリポストの外周面の残りの部分とほぼ対面し、かつ前記バッテリポストの外周面に向けて変位可能な可動部と、その可動部を締め付け方向に変位可能なレバーとからなり、前記固定部と前記可動部とで前記バッテリポストを締め付け可能なバッテリターミナルであって、
前記レバーは、前記固定部の側面部から外方へ突出する向きに回動中心を有し、その回動中心周りに回動可能とされ、
前記可動部には、カム溝およびそのカム溝に係合可能なカムピンのうちいずれか一方が設けられるとともに、前記レバーには、前記カム溝および前記カムピンのうちいずれか他方が設けられ、
前記カム溝は、前記レバーの回動動作により前記可動部を前記バッテリポストの外周面側に引き寄せ可能に形成されていることを特徴とするバッテリターミナル。
【請求項２】
前記可動部が前記バッテリポストを締め付け可能とする位置で、前記レバーをロックするロック機構を備えてなることを特徴とする請求項１記載のバッテリターミナル。
【請求項３】
前記ロック機構は、前記レバーの回動がより進む方向への複数段の係止位置が設定されていることを特徴とする請求項２記載のバッテリターミナル。
【発明の詳細な説明】
【技術分野】
【０００１】
本発明は、バッテリターミナルに関する。
【背景技術】
【０００２】
従来、この種のバッテリターミナルとしては、下記特許文献１に記載されているように、いわゆる横締めタイプのものが知られている。このものは、金属帯材を環形に回曲して電極保持部が形成されるとともに、その両端から一対の脚片が対向状に延出して形成され、この脚片にはボルト孔が貫通形成されている。そして、電極保持部をバッテリに突設されたバッテリポストに嵌合したのち、ボルト孔に通されたボルトにナットを螺合して締め付けるに伴って両脚片が互いに引き寄せられて電極保持部が縮径変形し、電極保持部がバッテリポストの側面に押し付けられてバッテリポストへの締め付けが可能となっている。
【特許文献１】特開平８−３１５８８９号公報
【発明の開示】
【発明が解決しようとする課題】
【０００３】
このものは横締めタイプのため、バッテリーターミナルの側方において、ボルトの付け外しに必要な作業スペースを確保する必要がある。しかしながら、近年、エンジン周りの小型化に伴い、バッテリターミナルの側面部周辺には他の部品が密集して組み付けられているため、バッテリターミナルの側方には、十分な作業スペースを確保することができない。
【０００４】
本発明は上記のような事情に基づいて完成されたものであって、バッテリポストの側方に十分な作業スペースを確保することができない場合でもバッテリポストへの締め付けを可能にすることを目的とする。
【課題を解決するための手段】
【０００５】
上記の目的を達成するための手段として、請求項１の発明は、バッテリポストの外周面の一部に沿う固定部と、前記バッテリポストの外周面の残りの部分とほぼ対面し、かつ前記バッテリポストの外周面に向けて変位可能な可動部と、その可動部を締め付け方向に変位可能なレバーとからなり、前記固定部と前記可動部とで前記バッテリポストを締め付け可能なバッテリターミナルであって、前記レバーは、前記固定部の側面部から外方へ突出する向きに回動中心を有し、その回動中心周りに回動可能とされ、前記可動部には、カム溝およびそのカム溝に係合可能なカムピンのうちいずれか一方が設けられるとともに、前記レバーには、前記カム溝および前記カムピンのうちいずれか他方が設けられ、前記カム溝は、前記レバーの回動動作により前記可動部を前記バッテリポストの外周面側に引き寄せ可能に形成されている構成としたところに特徴を有する。
【０００６】
請求項２の発明は、請求項１に記載のものにおいて、前記可動部が前記バッテリポストを締め付け可能とする位置で、前記レバーをロックするロック機構を備えてなるところに特徴を有する。
【０００７】
請求項３の発明は、請求項２に記載のものにおいて、前記ロック機構は、前記レバーの回動がより進む方向への複数段の係止位置が設定されているところに特徴を有する。
【発明の効果】
【０００８】
＜請求項１の発明＞
請求項１の発明によると、別途工具等を使用することなく、レバーの回動操作のみにより可動部をバッテリポストの外周面側に引き寄せ可能とし、固定部と可動部とでバッテリポストへの締め付けを可能としたから、バッテリターミナルの側方に十分な作業スペースがなくても締め付け操作が可能である。
【０００９】
＜請求項２の発明＞
請求項２の発明によると、可動部がバッテリポストを締め付け可能とする位置で、レバーをロックするロック機構を設けたから、バッテリポストを締め付け状態に保持することが可能である。
【００１０】
＜請求項３の発明＞
請求項３の発明によると、レバーの回動がより進む方向に複数段の係止位置を設けたから、増し締めが可能となり、バッテリターミナルの再装着時においても良好な締め付け力を維持することができる。
【発明を実施するための最良の形態】
【００１１】
＜実施形態１＞
本発明の実施形態１を図１ないし図７によって説明する。本実施形態におけるバッテリターミナル１は、図１または図５に示すように、バッテリポスト２の外周面の一部に沿って接触可能な固定部１０と、バッテリポスト２の外周面において固定部１０と対向する位置に接触可能でかつ変位可能に設けられた可動部２０と、バッテリポスト２を跨ぐようにして回動可能なレバー３０と、固定部１０の下端において外方に向けて延出された接続部４０とからなり、いずれも金属製の板材によって形成されている。尚、以下の説明において、左右方向とは図１における左右方向を基準として左側を左方とし、上下方向とは図１における上下方向を基準として上側を上方とする。
【００１２】
バッテリポスト２は鉛製で、上方に向けて次第に径が小さくなるような円錐台形状となっており、固定部１０はバッテリポスト２の外周面の右半分に沿う円弧面１１を有している。円弧面１１の両端からは、バッテリポスト２の外周面における接線方向に沿って対向状態で両側面部１２，１２が左方へと延出されている。また、円弧面１１の内側には、図１に示すように、食い込み溝１３が縦向きに適数条形成されている。食い込み溝１３は、バッテリポスト２を締め付けた状態においてバッテリポスト２の外周面が食い込み溝１３内に入り込むことで密着を高める働きをしている。
【００１３】
接続部４０は、円弧面１１の下端から右方に延出されて台座４１が形成されている。台座４１の上面には接続ボルト４２が配されている。接続ボルト４２の螺子部４３は上方に向けられ、ボルト頭４４が台座４１の上面に溶接されている。ボルト頭４４の上方には、螺子部４３を貫通するようにして受承面４５が設けられており、ナット（図示しない）を用いてワイヤハーネス側の端子（図示しない円孔を有する）と導通可能に接続される。
【００１４】
次に、レバー３０の回動動作により可動部２０をバッテリポスト２の外周面側に引き寄せるための構造について説明する。  
レバー３０は、一対の側板３１，３１が操作部３２によって連結されることで、略Ｕ字形をなしている。側板３１の先端側には、円形の回動孔３３と、その回動孔３３を取り囲むようにして長円形状をなすカム溝３４とが形成されている。一方、側面部１２の略中央は、右縁の一部を残して左方に開放した方形状に切り欠かれ、右縁の一部を外方に切り起こすことで回動軸１４が形成されている。回動軸１４は、レバー３０の回動孔３３を貫通した後、左方に折り曲げられており、回動孔３３を回動中心として回動可能にレバー３０を支持するとともに、レバー３０の両側板３１，３１が外方に開くのを防止している。尚、回動軸１４を切り起こした後の切り欠き部分は、切り欠き部１５とされている。
【００１５】
可動部２０は、バッテリポスト２の外周面の前部に沿う押し当て面２１を有している。押し当て面２１は、バッテリポスト２とほぼ同じ高さを有し、上下方向略中央における幅方向両端には、カムピン２２が外方に向けて突出形成されている。カムピン２２は回動軸１４とほぼ平行をなし、側面部１２の切り欠き部１５を通じて、側板３１のカム溝３４に係合した状態で支持されている。このカム溝３４は、図１における締め込み操作の開始前においては、回動孔３３の左方から上方にかけて次第に回動孔３３に近づくような円弧状となっており、このときカムピン２２は回動孔３３から最も離れた左端に位置するように設定されている。そのため可動部２０は、レバー３０を回動させると、カムピン２２がカム溝３４と係合した状態で回動孔３３に近づくよう移動するとともに、バッテリポスト２の外周面側に向けて移動することになる（図２参照）。
【００１６】
続いて、可動部２０がバッテリポスト２を締め付け可能とする位置で、レバー３０をロックするロック機構に係る構造について説明する。  
操作部３２は、図１に示すように、固定部１０の円弧面１１の上方にあって、端子（図示しない）を接続ボルト４２に挿入するに際し、その挿入を阻害しないような位置に保持されている。図１に示す操作部３２の右上コーナー部には、両側板３１，３１を連結する引掛け部３５と、その下方に配されたロックアーム（本発明におけるロック機構に相当する）３６とから構成されている。引掛け部３５は、レバー３０を回動させる際に、指を引っ掛けるのに使用されるとともに、ロックアーム３６を外部から保護する働きをしている。ロックアーム３６は、図１に示すように、引掛け部３５の下方において両側板３１，３１と連結された基端部３７から左斜め上に向けて片持ち状に延出され、その先端側が撓み可能に設けられている。ロックアーム３６の基端部３７寄りの部分は開口され、係止孔３８が形成されている。また、ロックアーム３６の先端には、ロックアーム３６の解除操作を行うための解除部３９が形成されている。
【００１７】
一方、可動部２０の上縁における略中央部には、ロック受け部（本発明におけるロック機構に相当する）２３が上方に向けて突出形成されている。ロック受け部２３は、可動部２０の上縁から右斜め上に向かった後、上面側に１８０°折り返されることで、左斜め下に向かうロック受け面２４が形成されている。ロック受け面２４には、３箇所の係止突部（本発明における複数段の係止位置に相当する）が形成されている。これら３箇所の係止突部はレバー３０の回動方向に沿って形成されており、右端寄りに形成された第１係止突部２５と、略中央に形成された第２係止突部２６と、左端部に形成された第３係止突部２７とからなる。これらの係止突部２５，２６，２７は、レバー３０の回動動作に伴ってロックアーム３６と段階的に係止可能となっている。この間、固定部１０と可動部２０との間の距離（図１ないし図４におけるＡ、Ｂ、Ｃ、Ｄを示す）は、Ａ＞Ｂ＞Ｃ＞Ｄという関係になっている。すなわち、第１係止突部２５ないし第３係止突部２７は、レバー３０の回動動作をより進める方向に段階的に配されている。これは、バッテリポスト２に対する増し締めあるいは径の異なるバッテリポスト２に対応するための工夫である。
【００１８】
本実施形態は上記のような構造であって、続いてその作用を説明する。  
まず、バッテリターミナル１をバッテリポスト２の上方から装着する。次に、レバー３０を図１における状態から、回動孔３３を回動中心として反時計回りに回動させる。可動部２０側に設けられたカムピン２２は、レバー３０の側板３１に設けられたカム溝３４に係合可能となっているから、レバー３０の倍力作用により回動操作に伴ってカム溝３４内を移動し、可動部２０はバッテリポスト２の外周面側に引き寄せられる。こうして、レバー３０が図２に示す状態に到達すると、バッテリポスト２を締め付けた状態となり、第１係止突部２５が係止孔３８の左面に係止することで、レバー３０の戻り動作が規制される。ここで、ロックアーム３６の解除部３９を操作して係止状態を解除しながらレバー３０を時計周りに回動させてバッテリターミナル１をバッテリポスト２から一旦外すと、バッテリポスト２の外周面には押し当てられた跡が残っているため、再度装着しても図２に示す締め付け位置では十分な締め付け力を得ることができない。そのため、ここからさらにレバー３０を反時計回りに回動させて増し締めを行うことで、図３に示すように、再び十分な締め付け力を得ることが可能となり、第２係止突部２６が係止孔３８の左面に係止して、レバー３０の戻り動作が規制される。また、図２に示す締め付け位置でも十分な締め付け力を得ることができない場合には、図３に示すように、さらにレバー３０を反時計周りに回動させて増し締めを行うことが可能となっており、第３係止突部２７が係止孔３８の左面に係止して、バッテリポスト２を締め付け状態に保持するとともにレバー３０の戻り動作が規制される。
【００１９】
以上のように、本実施形態においては、レバー３０を固定部１０側に設け、レバー３０の倍力作用を利用して回動操作に伴って可動部２０をバッテリポスト２の外周面側に引き寄せ可能としたから、固定部１０と可動部２０とでバッテリポスト２を締め付け可能となった。この結果、別途工具等を使用することなく、レバー３０の回動操作のみによって簡易に締め付け作業を行うことが可能となり、バッテリポスト２の側方に十分な作業スペースを確保できないような場合であっても、締め付け操作を行うことが可能となった。このとき、バッテリポスト２を締め付けた状態において、レバー３０の戻り動作を規制するロック機構を設けたから、バッテリポスト２を締め付け状態に保持することが可能となった。  
また、レバー３０の回動動作がより進む方向への複数段の係止位置を設定したから、バッテリポスト２を増し締めすることが可能であるとともに、径の異なるバッテリポストに対しても適用することが可能となった。
【００２０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２１】
（１）実施形態１においては、レバーを固定部の両側面部に取り付けてバッテリポストを跨ぐようにして設けたが、バッテリポストを締め付け可能であれば、必ずしもレバーの側板を一対設ける必要はなく片側のみに設けたものであってもよい。例えば、固定部および可動部の代替として、バッテリポストの外周面において金属帯材をその両端部が互いに重なり合うようにして巻き付けておき、両端部が重なる領域に本発明におけるレバーを設置して、両端部のうちいずれか一端を本発明における固定部とし、いずれか他端を可動部として機能させることでバッテリポストを締め付ける構造としてもよい。
【００２２】
（２）実施形態１においては、レバーをロックするロック受け部を可動部の上縁に設けたが、ロック可能であれば他の場所でもよく、例えば固定部側に設けてもよい。
【図面の簡単な説明】
【００２３】
【図１】実施形態１においてバッテリポストの締め付け前の状態を示すバッテリターミナルの断面図
【図２】実施形態１においてレバーが第１係止突部に係止した状態を示すバッテリターミナルの断面図
【図３】実施形態１においてレバーが第２係止突部に係止した状態を示すバッテリターミナルの断面図
【図４】実施形態１においてレバーが第３係止突部に係止した状態を示すバッテリターミナルの断面図
【図５】実施形態１においてバッテリポストの締め付け前の状態を示すバッテリターミナルの平面図
【図６】実施形態１においてレバーが第１係止突部に係止した状態を示すバッテリターミナルの平面図
【図７】実施形態１においてレバーが第３係止突部に係止した状態を示すバッテリターミナルの平面図
【符号の説明】
【００２４】
１…バッテリターミナル
２…バッテリポスト
１０…固定部
２０…可動部
２２…カムピン
２３…ロック受け部（ロック機構）
３０…レバー
３４…カム溝
３６…ロックアーム（ロック機構）
【図１】
2006324188.tif 000003
【図２】
2006324188.tif 000004
【図３】
2006324188.tif 000005
【図４】
2006324188.tif 000006
【図５】
2006324188.tif 000007
【図６】
2006324188.tif 000008
【図７】
2006324188.tif 000009